(57)【特許請求の範囲】
【請求項１】
照明アダプターにおいて、
トゥームストーン・カバーであって、該トゥームストーン・カバーが、
溝開口部を画定してトゥームストーン・ソケットを受容するハウジングおよび、対をなすスナップコネクタを備えるトゥームストーン・カバーと
光源ブラケットであって、該光源ブラケットが、下部に接続するべく構成された上部を備え、前記下部が、前記対をなすスナップコネクタを受け入れるべく構成された対をなすスナップレシーバを含み、前記上部および前記下部が、照明器具を受け入れるために開口部を画定する光源ブラケットと
を備える照明アダプター。
【請求項２】
前記ハウジングが、前壁、後壁、一対の側壁および、ハウジング上部を備え、前記前壁が、前記対をなすスナップコネクタを含む請求項１に記載の照明アダプター。
【請求項３】
前記対をなすスナップコネクタにおける各スナップコネクタが、第一タブおよび第二タブを備え、前記スナップコネクタのそれぞれにおける前記第一タブおよび前記第二タブが、スナップ開口部を画定して、前記対をなすスナップレシーバの、対応するスナップレシーバを受け入れる請求項２に記載の照明アダプター。
【請求項４】
前記対をなすスナップコネクタにおける少なくとも一個のスナップコネクタで、前記第一タブおよび前記第二タブが、前記スナップ開口部を前記ハウジング上部と平行にする方向に向けられる請求項３に記載の照明アダプター。
【請求項５】
前記対をなすスナップコネクタにおける第一スナップコネクタの前記第一タブおよび前記第二タブが、第一スナップ開口部を前記ハウジング上部と平行にする方向に向けられるものとし、前記対をなすスナップコネクタにおける第二スナップコネクタの前記第一タブおよび前記第二タブが、第二スナップ開口部を前記ハウジング上部と直交させる方向に向けられるものとした請求項３に記載の照明アダプター。
【請求項６】
前記トゥームストーン・カバーが、第一の対をなすスナップコネクタおよび第二の対をなすスナップコネクタを備え、前記前壁が、前記第一の対をなすスナップコネクタおよび前記第二の対をなすスナップコネクタを含む請求項２に記載の照明アダプター。
【請求項７】
前記第一の対をなすスナップコネクタおよび前記第二の対をなすスナップコネクタにおける各スナップコネクタが、第一タブおよび第二タブを備え、各スナップコネクタの前記第一タブおよび前記第二タブが、スナップ開口部を画定して、前記対をなすスナップレシーバの、対応するスナップレシーバを受け入れる請求項６に記載の照明アダプター。
【請求項８】
前記第一の対をなすスナップコネクタのおける第一スナップコネクタの前記第一タブおよび前記第二タブが、前記第一の対をなすスナップコネクタにおける第二スナップコネクタの前記第一タブおよび前記第二タブとは異なる方向に向けられるものとし、前記第二の対をなすスナップコネクタにおける第一スナップコネクタの前記第一タブおよび前記第二タブが、前記第二の対をなすスナップコネクタにおける第二スナップコネクタの前記第一タブおよび前記第二タブとは異なる方向に向けられるものとした請求項７に記載の照明アダプター。
【請求項９】
前記第一の対をなすスナップコネクタが、前記ハウジング上部と平行な方向に向けられるものとし、前記第二の対をなすスナップコネクタが、前記ハウジング上部と直交する方向に向けられるものとした請求項７に記載の照明アダプター。
【請求項１０】
前記光源ブラケットが、前記第一の対をなすスナップコネクタを受け入れるべく構成された第一の対をなすスナップレシーバ、および、前記第二の対をなすスナップコネクタを受け入れるべく構成された第二の対をなすスナップレシーバを備える請求項６に記載の照明アダプター。
【請求項１１】
前記前壁、前記後壁および、前記一対の側壁のそれぞれが、上側部分および下側部分を有する請求項２に記載の照明アダプター。
【請求項１２】
前記前壁の前記下側部分および前記後壁の前記下側部分がそれぞれ、前記前壁の前記上側部分および前記後壁の前記上側部分より実質的に広幅である請求項１１に記載の照明アダプター。
【請求項１３】
各側壁の前記上側部分が、前記ハウジング上部に対して実質的に直交し、各側壁の前記下側部分が、前記上側部分に対して傾斜する請求項１２に記載の照明アダプター。
【請求項１４】
前記対をなすスナップコネクタが、前記前壁の前記下側部分上に配置される請求項１１に記載の照明アダプター。
【請求項１５】
前記上部が、第一端部および第二端部を備え、前記下部が、回転端部および受容端部を備え、前記第一端部が、前記回転端部に回転接続されるものとし、前記第二端部が、前記受容端部に取り外し可能に接続されるものとした請求項１に記載の照明アダプター。
【請求項１６】
前記第二端部が、プッシュタブに接続される上部クリップを備え、前記受容端部が、下部クリップを備え、前記上部クリップおよび下部クリップが、係合時に、照明器具を前記開口部内に保持するべく構成されるものとし、前記プッシュタブが、前記上部クリップおよび下部クリップの解放を可能にするべく構成されるものとした請求項１５に記載の照明アダプター。
【請求項１７】
前記上部が、第一端部および第二端部を備え、前記第一端部および前記第二端部がそれぞれ、対応する上部クリップに接続されたプッシュタブを備え、前記下部が、第一受容端部および第二受容端部を備え、それぞれが、前記上部の、対応する上部クリップに係合するべく構成されて、照明器具を開口部内に保持するものとし、前記第一端部の前記プッシュタブおよび前記第二端部の前記プッシュタブがそれぞれ、前記対応する上部クリップの、その各受容端部からの解放を可能するべく構成されるものとした請求項１に記載の照明アダプター。
【請求項１８】
前記下部が、第一圧力クリップおよび第二圧力クリップを備え、前記上部が前記下部に接続されるときに、前記第一圧力クリップおよび前記第二圧力クリップが、前記開口部内で照明器具の複数の歯部と係合して、照明アダプターが固定されることを同時に可能にしつつ、照明器具が回転することを可能にするべく構成されるものとした請求項１に記載の照明アダプター。
【請求項１９】
前記下部および前記上部が、複数の溝部を含み、前記複数の溝部が、照明器具上の、対応する複数の歯部と適合するべく構成されるものとし、前記複数の溝部が、前記対応する複数の歯部と相互作用して、照明アダプターが固定されることを同時に可能にしつつ、前記照明器具が回転することを可能にするべく構成されるものとした請求項１に記載の照明アダプター。
【請求項２０】
トゥームストーン・カバーが、前記対をなすスナップレシーバを備え、前記光源ブラケットが、前記対をなすスナップコネクタを備える請求項１に記載の照明アダプター。
【発明の詳細な説明】
【技術分野】
【０００１】
本出願は、２０１１年１１月３０日に出願された「改造蛍光灯トゥームストーン・カバーおよび嵌合コネクタ」と題する米国仮出願第６１／５６５，４９６号、ならびに、２０１２年１１月９日に出願された「リニア固体光源および照明機器のためのセンタリング・ポジショナーならびに調整可能な端部コネクタ」と題する米国仮出願第６１／７２４，８０３号の優先権を主張するものであり、それらの両方の内容の全体を、参照によりここに組み込む。
【０００２】
本発明は照明、より詳細には、固体光源を含む照明機器に関するものである。
【背景技術】
【０００３】
典型的な蛍光灯電球ソケット（一般に当該技術分野ではトゥームストーン・ソケットまたは単にトゥームストーンと呼ばれる）は、従来より蛍光灯の端部キャップ上に配置される一以上のピンを受容するよう構成される。かかるトゥームストーンは、ランプへ電力を供給するとともに、ランプの機械的支持をもたらす。トゥームストーンは、より大きなシステム（たとえば、蛍光灯器具、ディスプレイ・ケース、冷蔵ケース等）の取り外し可能な部分であることがあり、また、より大きなシステムと一体になることがある。
【発明の概要】
【発明が解決しようとする課題】
【０００４】
固体光源（たとえば、これらに限定されないが発光ダイオード（ＬＥＤ）、有機発光ダイオード（ＯＬＥＤ）、ポリマー発光ダイオード（ＰＬＥＤ）等）および、同様のものを含む固定具／照明器具は、より高い頻度で、従来の光源（たとえば、白熱灯、ハロゲン、低圧放電（すなわち蛍光灯）、高圧放電（すなわち金属ハロゲン化物、ナトリウム等）等）ならびに／または、同様のものを含む固定具に置き換えて用いられる。典型的な白熱灯（たとえば、ねじベースまたはＧＵ−２４ベースを有するＡ１９ランプ）に置き換えるよう設計された改造光源に基づくランプのほとんどは、同じベースとともに設計されており、それにより、それらは、同じソケット内に適合するので、同じ電源（ＡＣ主電源）から作動され得る。蛍光灯電球に置き換えるべく設計された改造固体光源（ランプまたは固定具のいずれか）には、蛍光灯電球の同じｂｉ‐ｐｉｎベースを含まないものがあり、これらは勿論、トゥームストーン・ソケット内に適合するよう設計されている。これは、固体光源が一般に、蛍光灯に電力供給する安定器を介して作動することができないことによる。むしろ、固体光源は一般に、別個のユニットであるか、または改造ランプ／固定具と一体であるかを問わず、それ自身の電力供給（ドライバーともいう）を必要とする。しかしながら、（ランプまたは固定具のいずれかにおける）改造固体光源は、同じスペースを占有しなければならない。同じ改造適用では、固体光源ランプ／固定具は、以前は蛍光灯電球によって占有されていたスペースに固定され、このことは、ねじを用いる固定対象物に取り付けられる必要のある金属スナップブラケットを用いることにより、または、既存のトゥームストーン・ソケットを取り外すとともに、当該特定のランプ／固定具のために設計された特定の部分とともにそれらを配置することにより行われる。このことは時間がかかり、コストが嵩む。このコストは、トゥームストーン・ソケットが、既存の設置から取り外されるように設計されていない状況で、時間とお金の観点から増加する。
【課題を解決するための手段】
【０００５】
本発明の実施形態は、コネクタに適合する典型的な蛍光灯トゥームストーン・ソケットであって、該コネクタが、（ランプまたは固定具のいずれかにおける）改造光源に容易に取り付けられるものを提供する。実施形態は、改造ランプ／固定具を固定対象物に固定するために、容易な設置、工具不要、および／または、ほとんど工具不要な方法を提供する。いくつかの実施形態は、改造の適用および新たな構造の適用のための異なる多数の対象物に採用され得る嵌合コネクタを含む。他の実施形態は、トゥームストーン・ソケットを覆って、既存の固定に追加的に（たとえば、ねじを介して）機械的に取り付けられる単一のピースを提供する。
【０００６】
一の実施形態では、照明アダプターを提供する。照明アダプターは、トゥームストーン・カバーであって、溝開口部を画定して、トゥームストーン・ソケットおよび一対のスナップコネクタを受け入れるハウジングを備えるトゥームストーン・カバーと、光源ブラケットであって、下部に接続されるべく構成された上部を備え、下部が、一対のスナップコネクタを受容するべく構成された一対のスナップレシーバを含み、上部および下部が照明器具を受容する開口部を画定する光源ブラケットとを備える。
【０００７】
関連する実施形態では、ハウジングは、前壁、後壁、一対の側壁およびハウジング上部を含むことができ、そして、前壁は、一対のスナップコネクタを含むことができる。
【０００８】
さらに関連する実施形態では、一対のスナップコネクタにおけるそれぞれのスナップコネクタは、第一タブおよび第二タブを含むことができ、それぞれのスナップコネクタの第一タブおよび第二タブは、スナップ開口部を画定し、一対のスナップレシーバの、対応するスナップレシーバを受け入れる。さらに関連する実施形態では、一対のスナップコネクタにおける少なくとも一のスナップコネクタで、第一タブおよび第二タブは、スナップ開口部がハウジング上部と平行になる方向に向けられるものとすることができる。他のさらに関連する実施形態では、一対のスナップコネクタにおける第一スナップコネクタの第一タブおよび第二タブは、第一スナップ開口部が、ハウジング上部と平行になる方向に向けられるものとすることができ、また、一対のスナップコネクタにおける第二スナップコネクタの第一タブおよび第二タブは、第二スナップ開口部が、ハウジング上部と直交になる方向に向けられるものとすることができる。
【０００９】
さらに他の関連する実施形態では、トゥームストーン・カバーは、第一の対をなすスナップコネクタおよび第二の対をなすスナップコネクタを含むことができ、前壁は、第一の対をなす、および第二の対をなすスナップコネクタを含むことができる。
【００１０】
さらに関連する実施形態では、第一の対をなす、および第二の対をなすスナップコネクタにおける各スナップコネクタは、第一タブおよび第二タブを含むことができ、各スナップコネクタの第一タブおよび第二タブは、スナップ開口部を画定し、一対のスナップレシーバの、対応するスナップレシーバを受容する。さらに関連する実施形態では、第一の対をなすスナップコネクタにおける第一スナップコネクタの第一タブおよび第二タブは、第一の対をなすスナップコネクタにおける第二スナップコネクタの第一タブおよび第二タブとは異なる方向に向けることができ、また、第二の対をなすスナップコネクタにおける第一スナップコネクタの第一タブおよび第二タブは、第二の対をなすスナップコネクタにおける第二スナップコネクタの第一タブおよび第二タブとは異なる方向に向けることができる。他のさらに関連する実施形態では、第一の対をなすスナップコネクタは、ハウジング上部と平行な方向に向けることができ、また、第二の対をなすスナップコネクタは、ハウジング上部と直交する方向に向けることができる。
【００１１】
さらに他の関連する実施形態では、光源ブラケットは、第一の対をなすスナップコネクタを受容するべく構成された第一の対をなすスナップレシーバと、第二の対をなすスナップコネクタを受容するべく構成された第二の対をなすスナップレシーバとを含むことができる。
【００１２】
またさらに他の関連する実施形態では、前壁、後壁、および一対の側壁のそれぞれが、上側部分および下側部分を有するものとすることができる。
【００１３】
さらに関連する実施形態では、前壁の下側部分および、後壁の下側部分はそれぞれ、前壁の上側部分および、後壁の下側部分より実質的に広幅である。さらに関連する実施形態では、各側壁の上側部分は、ハウジング上部に対して実質的に直交するものとすることができ、また、各側壁の下側部分は、上側部分に対して傾斜するものとすることができる。
【００１４】
他のさらに関連する実施形態では、一対のスナップコネクタは、前壁の下側部分上に位置させることができる。
【００１５】
他の関連する実施形態では、上部は、第一端部および第二端部を含むことができ、下部は、回転端部および受容端部を含むことができ、第一端部は、回転端部に回転接続することができ、そして、第二端部は、受容端部に取り外し可能に接続することができる。さらに関連する実施形態では、第二端部は、プッシュタブに接続された上部クリップを含むことができ、受容端部は、下部クリップを含むことができ、そして、上部クリップおよび下部クリップは、係合時に、開口部内で照明器具を保持するべく構成することができ、また、プッシュタブは、上部クリップおよび下部クリップが取り外されることを可能にするべく構成することができる。
【００１６】
またさらに関連する実施形態では、上部は、第一端部および第二端部を含むことができ、第一端部および第二端部はそれぞれ、対応する上部クリップに接続されたプッシュタブを含むことができ、下部は、第一受容端部および第二受容端部を含むことができ、それぞれは、上部の、対応する上部クリップに係合するべく構成されて、開口部内に照明器具を保持し、そして、第一端部のプッシュタブおよび、第二端部のプッシュタブはそれぞれ、対応する上部クリップが、それのそれぞれの受容端部から取り外されることを可能にするべく構成することができる。
【００１７】
そしてまたさらに関連する実施形態では、下部は、第一圧力クリップおよび第二圧力クリップを含むことができ、そして、第一圧力クリップおよび第二圧力クリップは、上部が下部に接続された際に、開口部内で照明器具の複数の歯部に係合するべく構成することができ、それにより、照明アダプターが固定されることが可能になると同時に、照明器具が回転することを可能になる。
【００１８】
そしてまたさらに関連する実施形態では、下部および上部は、複数の溝部を含むことができ、複数の溝部は、照明器具上の、対応する複数の歯部に一致するべく構成することができ、そして、複数の溝部は、対応する複数の歯部と相互作用して、照明アダプターが固定されることを同時に可能にしながら、照明器具が回転することを可能するべく構成することができる。
【００１９】
そしてまた他のさらに関連する実施形態では、トゥームストーン・カバーは、一対のスナップレシーバを含むことができ、また、光源ブラケットは、一対のスナップコネクタを含むことができる。
【図面の簡単な説明】
【００２０】
【図１】ここで開示される実施形態に従う照明器具の一部および照明アダプターの分解図を示す。
【図２】ここで開示される実施形態に従う照明器具に取り付けた図１の照明アダプターを示す。
【図３】ここで開示される実施形態に従う照明器具を受け入れるべく開放された照明アダプターの光源ブラケットを示す。
【図４】ここで開示される実施形態に従う、照明器具、トゥームストーン・カバーおよび、トゥームストーン・ソケットに接続された図３の光源ブラケットを示す。
【図５】ここで開示される実施形態に従う、二個のトゥームストーンを覆う照明器具の両側に、図３および４の照明アダプターを有する照明器具を示す。
【図６】図６Ａおよび図６Ｂは、ここで開示される実施形態に従う光源ブラケットおよびトゥームストーン・カバーを示す。
【図７】図７Ａおよび図７Ｂは、照明器具に接続され、そして、ここで開示される実施形態に従う図６Ｂのトゥームストーン・カバーに接続された図６Ａの光源ブラケットを示す。
【発明を実施するための形態】
【００２１】
先述の、または他のここで開示する目的、構成および利点は、添付図面に示すように、ここで開示する特定の実施形態における以下の説明より明らかになるであろう。ここでは、類似の参照符号は、異なる視点を通して同様の部分に言及している。図面は、ここで開示される原理の説明に重点を置く代わりに、必ずしもスケールに当てはまらない。
【００２２】
図１は、照明器具１０１（その一部は図１〜４に示されている）のための照明アダプター１００の分解図を示す。照明アダプター１００は、照明器具（限定されないが、たとえば図１〜５に示す照明器具１０１等）に基づく固体光源が、蛍光灯を保持してそれに電力供給したトゥームストーン・ソケットを除去することなしに、蛍光灯に置き換えられることを可能にする。照明アダプター１００は、トゥームストーン・カバー１１０および光源ブラケット１５０を含む。トゥームストーン・カバー１１０は、トゥームストーン・ソケット（図１には図示しない）を覆う。光源ブラケット１５０は、（たとえば、これに限定されないが照明器具１０１の端部で）照明器具１０１に接続し、そして、それ自身が、トゥームストーン・カバー１１０に接続される。いくつかの実施形態では、光源ブラケットは、はじめにトゥームストーン・カバー１１０に接続され、そしてその後、照明器具１０１が、光源ブラケット１５０に接続される。それにより、照明アダプター１００（照明器具１０１の端部に接続されて、図２に連結されたその構成部品とともに示す）は、以前は蛍光灯が占めていた空間の少なくとも一部に、照明器具１０１を保持する。
【００２３】
トゥームストーン・カバー１１０は、ハウジング１１１を有する。ハウジング１１１は、溝開口部１１２を画定し、トゥームストーン・ソケットを受け入れる。いくつかの実施形態では、ハウジング１１１は、前壁１１３、後壁１１４、一対の側壁１１５および１１６ならびに、ハウジング上部１１７を含む。ハウジング上部１１７は、いくつかの実施形態では、トゥームストーン・ソケットの上部の上側である。ここで使用する方向（上部、下部、上側、下側等）は、説明を容易にするために図面に示すような特定の向きに関するものであり、何らかの方法で限定するものではないことに留意すべきである。それ故に、たとえば、当該技術においてよく知られるように、トゥームストーン・ソケットは、トゥームストーン・ソケットの「上部」が、天井に対向する床を向くように、棚の下面に接続することができ、そして、このような状況では、トゥームストーン・カバー１１０のハウジング上部１１７が、トゥームストーン・ソケットの「上部」の下側になるだろう。前壁１１３は、その内部で、蛍光灯の一個または複数個のピンを受け入れるトゥームストーンの一部に面しており、後壁１１４は、前壁１１３の反対側にある。一対の側壁１１５および１１６は、ハウジング上部１１７に沿って前壁１１３を後壁１１４に連結し、それにより、溝開口部１１２を形成する。いくつかの実施形態では、前壁１１３、後壁１１４ならびに、一対の各側壁１１５および１１６は、上側部分（１１３Ａ、１１４Ａ、１１５Ａ、１１６Ａ）および下側部分（１１３Ｂ、１１４Ｂ、１１５Ｂ、１１６Ｂ）を有する。それぞれの上側部分１１３Ａ、１１４Ａ、１１５Ａ、１１６Ａは、ハウジング上部１１７に最も近接するそれぞれの壁の一部を含む。それぞれの下側部分１１３Ｂ、１１４Ｂ、１１５Ｂ、１１６Ｂは、溝開口部１１２に最も近接するそれぞれの壁の一部を含む。いくつかの実施形態では、トゥームストーン・ソケット（tombstone socket）の異なる形状に適用できるように、前壁１１３の下側部分１１３Ｂおよび後壁１１４の下側部分１１４Ｂはそれぞれ、前壁１１３の上側部分１１３Ａおよび後壁１１４の上側部分１１４Ａよりも実質的に幅が広い。いくつかの実施形態では、このことは、一対の側壁１１５および１１６が、ハウジング上部１１７から溝開口部１１２に向けて傾斜することをもたらす。いくつかの実施形態では、一対の側壁１１５および１１６の下側部分１１５Ｂ、１１６Ｂだけが、大きく傾斜している。言い換えれば、そのような実施形態では、各側壁１１５、１１６の上側部分１１５Ａ、１１６Ａは、ハウジング上部１１７に対して実質的に直交し、また、各側壁１１５、１１６の下側部分１１５Ｂ、１１６Ｂは、上側部分１１５Ａ、１１６Ａに対して傾斜している。当然のことながら、ハウジング１１１は、他の実施形態では、トゥームストーン・ソケットを覆うことが可能な全ての異なる形状をとる。いくつかの実施形態では、トゥームストーン・カバー１１０は、単にトゥームストーン・ソケット上に配置させて、単にトゥームストーン・カバー１１０を持ち上げることによって、トゥームストーンから除去することができる。いくつかの実施形態では、トゥームストーン・カバー１１０は、少なくとも��部で、任意の既知の連結機構、たとえば、これらに限定されないが、摩擦、張力、結合（すなわち、接着剤、セメント、エポキシ等）、機械的連結器（たとえば、ねじ、クリップ等）等によって、トゥームストーン・ソケットの少なくとも一部に連結される。いくつかの実施形態では、トゥームストーン・カバー１１０は、任意の既知の連結機構、たとえば、これらに限定されないが上述したものを用いて、トゥームストーンに近接する表面に連結される。
【００２４】
一対のスナップコネクタ１３０および１４０もまた、トゥームストーン・カバー１１０の一部である。いくつかの実施形態では、一対のスナップコネクタ１３０および１４０は、ハウジング１１１の前壁１１３に取り付けられる。一対のスナップコネクタ１３０および１４０は、光源ブラケット１５０上の、対応する一対のスナップレシーバ１８０および１９０と機械的に相互作用し、トゥームストーン・カバー１１０を光源ブラケット１５０に連結する。図１および２に示すような、いくつかの実施形態では、一対のスナップコネクタ１３０、１４０における各スナップコネクタは、第一タブ１３１、１４１および第二タブ１３２、１４２を含む。各タブ１３１、１３２、１４１、１４２は、前壁１１３から延びる。各タブ１３１、１３２、１４１、１４２は、スナップコネクタ１３０、１４０が、その対応するスナップレシーバ１８０、１９０を支持することを可能にする突起部または他の類似の構成を含むことができ、また、いくつかの実施形態では、それを含む。各スナップコネクタ１３０、１４０のための第一タブ１３１、１４１および第二タブ１３２、１４２は、スナップ開口部１３３、１４３を画定し、一対のスナップレシーバ１８０、１９０の、対応するスナップレシーバを受け入れる。スナップ開口部１１３、１４３は、トゥームストーン・カバー１１０が光源ブラケット１５０に連結された際に、対応するスナップレシーバ１８０、１９０の一部を受け入れる。いくつかの実施形態では、第一タブ１３１、１４１および第二タブ１３２、１４２は、スナップ開口部１３３、１４３が、ハウジング上部１１７と平行になるような方向に向けられる。いくつかの実施形態では、第一タブ１３１、１４１、第二タブ１３２、１４２は、スナップ開口部１３３、１４３が、ハウジング上部１１７に直交し、および／または、ハウジング上部１１７を含む平面に対して傾斜するような方向に向けられる。いくつかの実施形態では、第一スナップコネクタ１３０（ひいては第一タブ１３１および第二タブ１３２）は、第一スナップ開口部１３３が、ハウジング上部１１７と平行になるような方向に向けられ、また、第二スナップコネクタ１４０（ひいては第一タブ１４１および第二タブ１４２）は、第二スナップ開口部１４３が、ハウジング上部１１７に直交するような方向に向けられる。
【００２５】
いくつかの実施形態では、トゥームストーン・カバー１１０は、第一の対をなすスナップコネクタ１３０、１４０および、第二の対をなすスナップコネクタ１３５、１４５を含む。第二の対をなすスナップコネクタ１３５、１４５はそれぞれ、第一の対をなすスナップコネクタ１３０、１４０と同様に、第一タブ１３６、１４６、第二タブ１３７、１４７および、スナップ開口部１３８、１４８を含む。スナップ開口部１３８、１４８は、光源ブラケット１５０の、対応するスナップレシーバ１８５、１９５（すなわち、第二の対をなすスナップレシーバ１８５、１９５）を受け入れる。図１および２に示すような、いくつかの実施形態では、前壁１１３は、第一の対をなすスナップコネクタ１３０、１４０および、第二の対をなすスナップコネクタ１３５、１４５を含む。いくつかの実施形態では、第二の対をなすスナップコネクタ１３５、１４５は、一対の側壁１１５、１１６上、および／または、後壁１１４上に配置される。第一の対をなすスナップコネクタ１３０、１４０の第一タブ１３１、１４１および第二タブ１３２、１４２と同様に、第二の対をなすスナップコネクタ１３５、１４５の第一タブ１３６、１４６および第二タブ１３７、１４７は、いくつかの実施形態では、同じ方向（たとえば、ハウジング上部１１７に平行な方向、ハウジング上部１１７に直交する方向、ハウジング上部１１７の平面に対して傾斜する方向）に向けられ、また、いくつかの実施形態では、異なる方向に向けられる。いくつかの実施形態では、第一の対をなすスナップコネクタ１３０、１４０の一のスナップコネクタは、第二の対をなすスナップコネクタ１３５、１４５における一のスナップコネクタと同じ方向（すなわち第一方向）に向けられ、この一方で、第一の対をなすスナップコネクタ１３０、１４０の他のスナップコネクタおよび、第二の対をなすスナップコネクタ１３５、１４５における他のスナップコネクタは、異なる方向（すなわち第二方向）に向けられる。図１および２に示すように、第一の対をなすスナップコネクタ１３０、１４０は、ハウジング上部１１７と平行な方向に向けられ、また、第二の対をなすスナップコネクタ１３５、１４５は、ハウジング上部１１７と直交する方向に向けられる。
【００２６】
図１および２に示すように、光源ブラケット１５０は、下部１７０に接続するべく構成された上部１６０を含む。下部１７０は、トゥームストーン・カバー１１０の一対のスナップコネクタ１３０、１４０を受け入れるべく構成された一対のスナップレシーバ１８０、１９０を含む。一対のスナップレシーバ１８０、１９０は、一以上の異なる複数対のスナップコネクタ（たとえば、これらに限定されないが、図１および２に示すスナップコネクタ１３０、１４０）と相互作用することが可能な任意の形状をとる。一対のスナップレシーバ１８０、１９０は、受容開口部１８１、１９１をそれぞれ画定し、この中には、光源ブラケット１５０がトゥームストーン・カバー１１０に接続されるときに、スナップコネクタ１３０、１４０のタブ１３１、１３２、１４１、１４２が挿入される。それにより、スナップコネクタ１３０、１４０の他の各タブ１３１、１３２、１４１、１４２は、受容開口部１８１、１９１の外側にある。一対のスナップレシーバ１８０、１９０は、図１および２に示されるような構造を有するが、他の構造も可能である。たとえば、同様に図１および２に示す第二の一対のスナップレシーバ１８５、１９５は、開口部を画定せず、光源ブラケット１５０から突出するタブ（いくつかの実施形態では、第二の対をなすスナップレシーバ１８５、１９５の少なくとも一つが、上部１６０から突出するが、より詳細には下部１７０）である。それにより、第二の対をなすスナップコネクタ１３５、１４５は、受容開口部内に挿入されるタブおよび、受容開口部の外側のタブを有する代わりに、第二の対をなすスナップレシーバ１８５、１９５を取り囲む。
【００２７】
上部１６０および下部１７０は、開口部１８１（図３に最も明確に見られる）を画定し、照明器具１０１を受け入れる。図１および２では、上部１６０は、第一端部１６１および第二端部１６２を備える。第一端部１６１および第二端部１６２は、対応する上部クリップ１６１Ｂ、１６２Ｂに接続されるプッシュタブ１６１Ａ、１６２Ａを備える。上部クリップ１６１Ｂ、１６２Ｂは、上部１６０から突出し、上部１６０が、下部１７０に接続されることを可能にする。下部１７０は、第一受容端部１７１および第二受容端部１７２を備え、それらのそれぞれは、上部１６０の、対応する上部クリップ１６１Ｂ、１６２Ｂに係合するべく構成されて、照明器具１０１を開口部１８１に保持する。第一端部１６１のプッシュタブ１６１Ａおよび、第二端部１６２のプッシュタブ１６２Ａはそれぞれ、対応する上部クリップ１６１Ｂ、１６２Ｂが、そのそれぞれの受容端部１７１、１７２から解放されることを可能にするべく構成される。それ故に、照明器具を光源ブラケット１５０内に配置するため、プッシュタブ１６１Ａ、１６２Ａは、上部１６０を完全に下部１７０から取り外すために係合される。照明器具が光源ブラケット１５０内に配置された後、上部１６０は、上部クリップ１６１Ｂ、１６２Ｂを介して、下部１７０内に留められる。図３〜５に示すような、いくつかの実施形態では、光源ブラケット１５０Ａは、上部１６０Ａおよび下部１７０Ａを含む。上部１６０Ａは、第一端部１６４および第二端部１６５を備える。下部１７０Ａは、回転端部１７４および受容端部１７５を備える。第一端部１６４は、回転端部１７４に回転接続され、また、第二端部１６５は、受容端部１７５に取り外し可能に接続される。それにより、照明器具を、光源ブラケット１５０Ａの開口部１８１内に配置するため、ユーザーは、上部１６０Ａの第二端部１６５を、下部１７０Ａから離れて回転させる。照明器具を光源ブラケット１５０Ａ内に固定するため、ユーザーは、第二端部１６５が受容端部１７５に係合するまで、第二端部１６５を下部１７０Ａに向けて回転させる。照明アダプター１００に固定された照明器具１０１は、図４および５に示されている。上部１６０Ａが下部１７０Ａに対して回転可能な、いくつかの実施形態では、第二端部１６５は、プッシュタブ１６７に接続された上部クリップ１６６を含み、この一方で、受容端部１７５は、下部クリップ１７６を備える。上部クリップ１６６および下部クリップ１７６は、係合した際に、照明器具を開口部１８１内に保持するべく構成される。プッシュタブ１６７は、上部クリップ１６６および下部クリップ１７６が解放されることを可能にするべく構成される。
【００２８】
図３〜５の光源ブラケット１５０Ａは、一対のスナップレシーバではなく、一対のスナップコネクタ１８０Ａ、１９０Ａを含むことに留意すべきである。一対のスナップコネクタ１８０Ａ、１９０Ａは、図３〜５に、各タブの端部上の突起部とともに光源ブラケット１５０Ａから延びる一対のタブとして示されており、任意の既知のタイプのコネクタを用いることができる。図４に、溝開口部１１２を画定してトゥームストーン・ソケット１０２を受け入れるハウジング１１１を含むトゥームストーン・カバー１１０Ａを示す。図１および２に示すトゥームストーン・カバー１１０とは異なり、後壁１９３は、後方開口部１９４を含み、これは、後壁１９３の下側部分１９３Ｂから、後壁１９３の上側部分１９３Ａに延びる。また、トゥームストーン・カバー１１０Ａは、一対のスナップレシーバ１９６、１９７を含み、これらは、トゥームストーン・カバー１１０Ａの前壁１９２から突出するそれぞれの湾曲部上に位置する。ここでは、スナップレシーバ１９６、１９７は、スナップコネクタ１８０Ａ、１９０Ａのタブの突出部を受け入れるであろう湾曲部内の開口部である。図５は、照明アダプター１００によりトゥームストーン１０２上に固定された照明器具１０１の全体を示す。
【００２９】
図１および３に示すような、いくつかの実施形態では、下部１７０／１７０Ａは、二個の圧力クリップ２００、３００を含む。圧力クリップ２００、３００は、開口部１８１を形成する下部１７０／１７０Ａ上の位置から延びる。圧力クリップ２００、３００は、照明器具１０１が開口部１８１内にあるときに、照明器具１０１の複数の歯部４００に係合するべく構成される。いくつかの実施形態では、上部１６０／１６０Ａは、下部１７０／１７０Ａに接続し、これは、圧力クリップ２００、３００を押圧して、複数の歯部４００に接触させる。圧力クリップ２００、３００は、照明アダプター１００が固定されることを可能にすると同時に、照明器具１０１の回転を可能にする。当然のことであるが、いくつかの実施形態では、照明器具１０１は、他の機構、たとえば、これらに限定されないが複数のタブ等を介して、圧力クリップ２００、３００と機械的に相互作用する。圧力クリップ２００、３００は、照明器具１０１と機械的に相互作用するに適当なサイズとし、それにより、照明器具１０１の回転が可能になる。
【００３０】
いくつかの実施形態では、開口部１８１を画定する上部１６０／１６０Ａおよび下部１７０／１７０Ａの一部は、複数の歯部４００または、回転のための照明器具１０１の他の形状との相互作用を可能にする機械的機構を含む。たとえば、上部１６０／１６０Ａおよび下部１７０／１７０Ａは、複数の溝部を含むことができ、これらは、照明器具１０１の、対応する複数の歯部と嵌合するように構成される。複数の溝部は、対応する複数の歯部と相互作用するべく構成されて、照明アダプター１００が固定されることを可能にすると同時に、照明器具１０１が回転することを可能にする。複数の溝部、複数の歯部および／または両方は、照明器具１０１が、後により多く説明するように、一以上の特定の位置に配置されることを可能にする。
【００３１】
第一照明アダプターが照明器具の一端部上に配置されるとともに、第二照明アダプターが照明器具の他端部上に配置される、いくつかの実施形態（図５参照）では、第一照明アダプターおよび第二照明アダプターの両方が、回転調整を可能にする。いくつかの実施形態では、第一照明アダプターは、第二照明アダプターが照明器具の自由回転を可能にする間に、照明器具が回転調整できることを可能にし、それにより、第一照明アダプターの、照明器具との相互作用が、照明器具の位置を制御する。照明器具の位置は、照明器具上へのマーキング、たとえば、これに限定されるものではないが、図１および２に示すような数字等によって示すことができ、また、いくつかの実施形態では、そのように示される。かかるマーキングは、ユーザーに対して異なる位置を特定し、それらは、照明器具によって照射される光の方向に対応する。それにより、ユーザーは、照明器具へ電力を供給する必要なしに、照明器具の望ましい位置を決定するため、マーキングを用いることができる。特に、照明器具によるルーメン出力がかなり高い場合（すなわち、照明器具により放出される光が極めて明るい適用）の適用においては、このことは、設置者およびユーザーに十分な利点をもたらす。照明器具の一方側だけが回転することができる、いくつかの実施形態では、第二証明アダプターが、照明器具の他方側を固定して支持する間、第一証明アダプターは、回転を可能にする。そのような実施形態では、マーキングは、証明器具の、回転することのできる側だけとすることができるが、いくつかの実施形態では、マーキングを両側とすることができる。このことは、照明器具が、それぞれの照明アダプターのいずれかの端部とともに取り付けられることを可能にする。
【００３２】
図６Ａ〜６Ｂおよび７Ａ〜７Ｂに、トゥームストーン・カバー６５０および光源ブラケット６１０によって形成された照明アダプター７００の実施形態を示す。図６Ａ〜６Ｂおよび７Ａ〜７Ｂでは、図１〜５とは対照的に、光源ブラケット６１０が、一対のスナップコネクタ６２０および６３０を含む一方で、トゥームストーン・カバー６５０は、一対のスナップレシーバ６６０および６７０を含む。図７Ａは、一端部に取り付けられた光源ブラケット６１０を有する照明器具７０１と、トゥームストーン・ソケット（トゥームストーン・カバー６５０によって覆われたものとしては示していない）を覆って配置されたトゥームストーン・カバー６５０とを示す。図７Ｂは、より詳細については後述するように、トゥームストーン・カバー６５０に接続された光源ブラケット６１０を示し、これは、以前は蛍光灯を保持してそれに電力供給していたトゥームストーン・ソケットを除去する必要なしに、照明器具７０１が、蛍光灯に置き換えることを可能にする。
【００３３】
図６Ａに、光源ブラケット６５０をより詳細に示す。光源ブラケット６５０は、照明器具７０１を受け入れるための形状をなす（図７Ａ〜図７Ｂ参照）。それ故、光源ブラケット６５０は、上部６０１と下部６０２との間に開口部を含み、これらは、いくつかの実施形態では、結合された二つの別々のピースであり、また、いくつかの実施形態では、同じ単一のピースの異なる部分である。開口部の形状は、少なくとも部分的に、照明器具の端部の形状に一致する。それにより、照明器具の少なくとも一端部は、光源ブラケット６５０の開口部内に挿入される。光源ブラケット６５０は、任意の既知の機械的連結、たとえば、これらに限定されないが、ねじ、摩擦、張力、結合（すなわち、接着剤、セメント、エポキシ等）等を用いて、照明器具７０１を取り付ける。光源ブラケット６５０の外側部分は、一対のスナップコネクタ６２０および６３０を含み、これらは、光源ブラケット６５０から延びる。一対のスナップコネクタ６２０および６３０は、図６Ａに、直線状に延びるアームとして示されており、それぞれが、一対のスナップレシーバ６６０および６７０と相互作用するための突出タブを有し、一対のスナップコネクタは、任意の既知の接続形状をとることができる。
【００３４】
図６Ｂに示すように、トゥームストーン・カバー６５０のハウジング６８０は一般に、図１〜２および４〜５に示すハウジング１１１と同様の形状をなす。ハウジング６８０は、ハウジング６８０の前壁６５１に、一対のスナップレシーバ６６０および６７０を含む。図６Ｂに示すような一対のスナップレシーバ６６０および６７０は、逆向きに配置されて、トゥームストーン・カバー６５０の前壁６５１から突出するＬ字状クリップであり、一対のスナップレシーバは、光源ブラケット６１０上の、対応する対のスナップコネクタを機械的に受容することのできる任意の既知のレシーバ形状をとることができる。いくつかの実施形態では、スナップレシーバの対の特定のタイプは、スナップコネクタの異なる多数のタイプを受け入れることができる。
【００３５】
いくつかの実施形態では、光源ブラケット６５０の開口部を十分に与え、および／または、光源ブラケット６５０から延びる一対のスナップコネクタ６２０および６３０の距離を十分に与え、および／または、照明器具のための強固で安全な接続を維持しつつ、一対のスナップレシーバ６６０および６７０が、蛍光灯の異なるタイプ（および長さ）を支持していた任意の様々なスペースに照明器具を適用させることを十分に与える。
【００３６】
いくつかの実施形態では、光源ブラケット６５０は、溝部６２５を含み、これは、トゥームストーン・カバー６５０の中央部内（および／または実質的に内部）に配置された、対応するポスト６６５に接触する。このことは、異なるサイズの照明器具およびトゥームストーンと連動するため、照明アダプター７００に組み込まれる許容誤差を考慮しつつ、照明器具７０１が、設置者側の余分な手間や測定なしに、中心に配置されることを可能にし、また、照明器具７０１を所定の位置に強固に支持することを補助する役目を果たす。
【００３７】
ここでは、照明器具に関して実施形態を説明したが、実施形態は、そのように限定されるものではない。実施形態は、この発明の範囲から離れることなしに、代替的に、および／または追加的に、光源ブラケットに取り付ける照明器具ハウジング内に適合するライト・エンジン／モジュール（light engine/module）として実現することができる。同様に、実施形態は、この発明の範囲から離れることなしに、代替的に、および／または追加的に、光源ブラケットに取り付ける証明器具ハウジングとともに、照明器具ハウジング内に適合する改造ランプ（retrofit lamp）として実現することができる。また、いくつかの実施形態は、照明器具に代えて、ライト・エンジン／モジュールと考えることができる。そのような実施形態では、ライト・エンジン／モジュールは、照明アダプターの光源ブラケットに接続し、そして、蛍光灯の位置に適合する。そのような実施形態では、照明アダプターとライト・エンジン／モジュールとの組合せはそれ自体で、照明器具と考えることができる。
【００３８】
特に明記しない限り、「実質的に」との用語は、正確な関係性、条件、配置、向きおよび／または他の特性、ならびに、当該技術分野における通常の技術を有する者により、偏差が、開示した方法およびシステムに実質的に影響を及ぼさない程度におけるものと理解されるその偏差を含むと理解することができる。
【００３９】
本開示の全体を通して、名詞を変更する「a」および／または「an」および／または「the」との冠詞の使用は、便宜上使用されるものであって、特に明記しない限り、変更された名詞の一または一以上を含むものと理解することができる。「備える」、「含む」および「有する」との用語は、包括的であり、列挙した要素以外の追加要素があり得ることを意図している。
【００４０】
説明し、および／または図面を通して関連付けて描かれて、何らかのものと連結し、関連付けられ、および／または基くそれらの要素、コンポーネント、モジュールおよび／または部分は、ここに規定しない限り、直接的および／または間接的な方法にて、そのように連結し、関連付けされ、および／または基づいていると理解することができる。
【００４１】
特定の実施形態に関連して方法およびシステムを説明したが、それらは、そのように限定されるものではない。多くの変更および変形が、上述した教示に照らして明らかになり得ることは明白である。ここで説明して例示した多くの追加の詳細の変化、材料、部分の配置は、当業者によってなされ得る。
【図１】
0005813248.tif 000002
【図２】
0005813248.tif 000003
【図３】
0005813248.tif 000004
【図４】
0005813248.tif 000005
【図５】
0005813248.tif 000006
【図６Ａ】
0005813248.tif 000007
【図６Ｂ】
0005813248.tif 000008
【図７Ａ】
0005813248.tif 000009
【図７Ｂ】
0005813248.tif 000010